(57)【要約】【課題】本発明が解決しようとする課題は、簡便で小型化の効果を失わずに、ケーブルと回路基板接続部の信頼性を向上させるケーブルの挟持機構を提供することである。【解決手段】上記課題を解決するため、実施形態のケーブルの挟持機構は、回路基板に接続されたケーブルをケースと挟持する第１のケーブルクランプと、前記第１のケーブルクランプと同時に用いられ、前記第１のケーブルクランプから、所定幅離間して設けられ、前記回路基板に接続されたケーブルをケースと挟持する第２のケーブルクランプからなることを特徴とする。【選択図】図１
2020057641.tif 000002
【特許請求の範囲】
【請求項１】
回路基板に接続されたケーブルをケースと挟持する第１のケーブルクランプと、
前記第１のケーブルクランプと同時に用いられ、前記第１のケーブルクランプから、所定幅離間して設けられ、
前記回路基板に接続されたケーブルをケースと挟持する第２のケーブルクランプからなる、
ケーブルの挟持機構。
【請求項２】
前記所定幅は０．１ｍｍ〜１０ｍｍであることを特徴とする、請求項１に記載のケーブルの挟持機構。
【請求項３】
前記ケーブルはセミリジットケーブルであることを特徴とする、請求項１〜請求項２に記載のいずれか１つに記載のケーブルの挟持機構。
【請求項４】
前記第１のケーブルクランプ及び前記第２のケーブルクランプはネジにより、ケースに固定されることを特徴とする、請求項１〜請求項３に記載のいずれか１つに記載のケーブルの挟持機構。
【発明の詳細な説明】
【技術分野】
【０００１】
本発明の実施形態は、ケーブルの挟持機構に関する。
【背景技術】
【０００２】
機械的振動の激しい機材で使用されるレーダ等に搭載するマイクロ波機器は、機材間の配線にも振動が加わると、接続部のはんだ付けが取れやすくなってしまうことがあるため、信頼性の向上が求められている。一方、小型化の要求から、省スペースでの接続構造が不可欠であり、機械的に堅牢で信頼性の高い同軸コネクタは、接続部が大型となる事から採用することが難しかった。
【０００３】
これまでは、小型化のためセミリジットケーブルと回路基板の接続は、ケーブルクランプを用いてセミリジットケーブルの基部を押さえ、中心導体をはんだ付けする構造であった。この固定構造は、機械的振動が激しくなってくるとセミリジットケーブルの機械的振動がケーブルクランプに伝わり、これを変位させてセミリジットケーブルの中心導体と回路基板のはんだ付け部に応力が加わることで、信頼性を低下させてしまう問題があった。
【先行技術文献】
【特許文献】
【０００４】
【特許文献１】特開２００９−２６６４７４号公報
【発明の概要】
【発明が解決しようとする課題】
【０００５】
本発明が解決しようとする課題は、簡便で小型化の効果を失わずに、ケーブルと回路基板接続部の信頼性を向上させるケーブルの挟持機構を提供することである。
【課題を解決するための手段】
【０００６】
上記課題を解決するため、実施形態のケーブルの挟持機構は、回路基板に接続されたケーブルをケースと挟持する第１のケーブルクランプと、前記第１のケーブルクランプと同時に用いられ、前記第１のケーブルクランプから、所定幅離間して設けられ、前記回路基板に接続されたケーブルをケースと挟持する第２のケーブルクランプからなることを特徴とする。
【図面の簡単な説明】
【０００７】
【図１】本実施形態に係るケーブルクランプを模式的に示す上面図。
【図２】本実施形態に係るケーブルクランプを模式的に示す側面図。
【図３】本実施形態に係るケーブルクランプを模式的に示す側面図。
【発明を実施するための形態】
【０００８】
以下、ケーブルクランプについて、図面に基づき説明する。
【０００９】
図１は、本実施形態に係るケーブルクランプを模式的に示す上面図である。
回路基板１、第１のケーブルクランプ２−１、第２のケーブルクランプ２−２、ケーブル３が、ケース５（後述する図２参照）に設けられている。
【００１０】
ケーブル３が回路基板１に接続され、第１のケーブルクランプ２−１とケース５に挟持されている。また、ケーブル３は第２のケーブルクランプ２−２とケース５に挟持されている。第１のケーブルクランプ２−１と第２のケーブルクランプ２−２は、所定幅離間して設けられる。ケーブル３の末端は、回路基板１、例えばマイクロストリップ線路に接続される。接続部分は、ケーブル３の中心導体３１が回路基板１のはんだ付け部４にはんだ付けによって接続される。回路基板１は、損失を抑えるためにケーブル３の特性インピーダンスに揃えたものが用いられる。
【００１１】
図２は、第１のケーブルクランプ２−１を模式的に示す断面図であり、図１のＸ−Ｙの断面図である。
【００１２】
ケーブル３は、第１のケーブルクランプ２−１の凹部に位置し、第１のケーブルクランプ２−１とケース５に挟持されることで固定される。１つ以上のネジ２−１Ｓをしめつけることにより、第１のケーブルクランプ２−１がケース５方向に押し付けられるため、第１のケーブルクランプ２−１とケース５でケーブル３を挟持できる。図１では、同じように、第２のケーブルクランプ２−２とケース５でもケーブル３を挟持しており、第１のケーブルクランプ２−１と第２のケーブルクランプ２−２の２つのケーブルクランプを用いてケーブル３を固定している。
【００１３】
ケーブル３の位置を高くする場合は、図３のように、ケーブル３とケース５の間に第１のケーブルクランプ２−１（Ｄ）を設けてから、第１のケーブルクランプ２−１（Ｕ）とケース５でケーブル３を挟持して固定してもよい。
【００１４】
なお、上記の例ではケーブル３をケース５に固定しているが、固定する部材は必ずケースである必要はなく、第１のケーブルクランプ２−１とケーブル３を挟持できるものであれば、他の部材でも構わない。また、ネジ止めで挟持する構造ではなく、素材の反発力やばねの力等を用いて、ケーブルを挟持する構造であっても良い。
【００１５】
図１の説明に戻る。
【００１６】
第１のケーブルクランプ２−１の形状は図１の上面図では長方形だが、形状はこれにかぎったものではない。しかし、第１のケーブルクランプ２−１はネジ２−１Ｓの外径の直径より大きい必要がある。ネジ２−１Ｓを大きくすると、固定する力が大きくなるが、そうすると第１のケーブルクランプ２−１もネジ２−１Ｓに合わせて大きくする必要があり、一般的に要求されている小型化に反してしまう。第１のケーブルクランプ２−１と、それにあわせたネジ２−１Ｓは、状況に応じた大きさのものを選ぶ必要がある。第２のケーブルクランプ２−２とネジ２−２Ｓについても同様である。
【００１７】
２つあるそれぞれの第１のケーブルクランプ２−１と第２のケーブルクランプ２−２は、形状の異なるものを用いても良いし、同じ形状のものを用いても良い。もし第１のケーブルクランプ２−１と第２のケーブルクランプ２−２の形状が異なるのであれば、回路基板１とケーブル３の接続部から遠い第２のケーブルクランプ２−２を第１のケーブルクランプ２−１よりも大きいものにすると効果的である。
【００１８】
振動を伝えないために、回路基板１と第１のケーブルクランプ２−１、第１のケーブルクランプ２−１と第２のケーブルクランプ２−２は、接触しないように所定幅離間して設けられる。第１のケーブルクランプ２−１と第２のケーブルクランプ２−２の距離Ｄ２２は、ケーブル３の材質や振動条件によっても異なるが、概ね０．１ｍｍ〜１０ｍｍ程度が望ましい。０．１ｍｍより小さくなると、振動時に接触し、ケーブル３と回路基板１の接続部に振動が伝わってはんだ付け部４に応力が加わり、信頼性を低下させてしまうおそれがある。一方１０ｍｍ以上では、性能としては問題ないが、接続部が大きくなってしまい、小型化の要求に反してしまう。
【００１９】
ケーブル３は、例えばセミリジットケーブルやセミフレキなどの同軸ケーブルでもよい。または、一般的な導線も用いることができる。
【００２０】
図１、図２では、ケーブルクランプが２つ使用されている例であるが、ケーブルクランプが３つ以上使用されても同様に振動を抑える効果がある。この場合も、使用されるケーブルクランプの形状や、それぞれのケーブルクランプを離間する幅などの条件は２つの場合と同様である。ケーブルクランプの数が増えると振動は伝わりにくくなるが、小型化には反するので、状況に合った個数を用いると良い。
【００２１】
使用されるケーブルクランプは、アルミニウム合金や真鍮などにより作られた、一般的なものでよく、低コストでさびにくいものであればよい。また、ケーブルクランプを固定するネジの数は、ケーブルクランプ１つに対して複数あっても良い。
【００２２】
本実施形態によれば、２つ以上のケーブルクランプを同時に用いて、所定幅離間して設けられたこれらのケーブルクランプとケースによってケーブルを挟持することで、ケーブルの機械的振動を抑えることがでる。機械的振動の激しい機材で使用された場合でも、ケーブルクランプどうしで振動が伝わるのを抑え、ケーブルと回路基板の接続部分に力が加わってはんだ付けが取とれてしまうのを防ぐことが可能となる。簡便で、小型の構造でありながら、ケーブルと回路基板接続部の信頼性を向上させることができる。
【００２３】
なお、本発明のいくつかの実施形態を説明したが、これらの実施形態は、例として提示したものであり、発明の範囲を限定することは意図していない。これら新規な実施形態は、そのほかの様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２４】
１  回路基板
２−１  第１のケーブルクランプ
２−１Ｓ  ネジ
２−２  第２のケーブルクランプ
２−２Ｓ  ネジ
３  ケーブル
３１  中心導体
４  はんだ付け部
５  ケース
【図１】
2020057641.tif 000003
【図２】
2020057641.tif 000004
【図３】
2020057641.tif 000005